(57)【要約】【課題】  ＤＴＰ機能はサーバ側で実行することとし、クライアントはウェブ画面で案内広告の作成・編集を可能とし、更に、新聞等に掲載される案内広告の実物を伝票と共に確認して新聞社等に案内広告のデータを容易に送信できる案内広告作成・編集システムを提供する。【解決手段】  広告会社ＰＣ５はインターネット４を介して案内広告作成・編集サーバ１にアクセスし、ブラウザを用いて案内広告を作成・編集するものであり、案内広告作成・編集サーバ１は編集された広告原稿を掲載用のフォント及びサイズに変換したＰＤＦ形式で広告会社ＰＣ５の画面又は印刷出力するようにしているので、掲載される実物の広告内容を確認して新聞社ＰＣ６に送信できる案内広告作成・編集システムである。【選択図】        図６
2007072775.tif 000002
【特許請求の範囲】
【請求項１】
ネットワークを介して接続される案内広告作成・編集サーバを有する案内広告作成・編集システムであって、
前記案内広告作成・編集サーバは、広告会社コンピュータから申込伝票が入力され、案内広告の原稿の作成・編集の要求を受けて案内広告の原稿の作成・編集処理を実行し、ゲラ出力の指示があると原稿を掲載用のフォントに置き換え、当該原稿を掲載用のサイズに調整してＰＤＦ形式に変換し、申込伝票の内容と共に前記広告会社コンピュータに出力し、更に申込伝票と広告原稿を新聞社コンピュータに送信するサーバであることを特徴とする案内広告作成・編集システム。
【請求項２】
案内広告作成・編集サーバは、案内広告の原稿の作成・編集処理を実行するのに、広告会社コンピュータのブラウザ画面に入力パレットを表示し、当該入力パレットが、行列のマスを最小単位とし、当該マス内又は複数行列のマス内に設定する文字について、文字の位置、方向、サイズ、フォント、上下揃え、左右揃え、電話番号を設定可能とすることを特徴とする請求項１記載の案内広告作成・編集システム。
【請求項３】
案内広告作成・編集サーバは、予め登録されたロゴ画像を案内広告の原稿に貼り付け可能としたことを特徴とする請求項１又は２記載の案内広告作成・編集システム。
【発明の詳細な説明】
【技術分野】
【０００１】
本発明は、新聞等に掲載される案内広告を作成・編集するシステムに係り、特に、ウェブ画面で案内広告の作成等を容易に行う案内広告作成・編集システムに関する。
【背景技術】
【０００２】
従来、新聞等に掲載する案内広告の組版を作成・編集するには、専用の編集用ソフトウェアをインストールしたＰＣ（パーソナルコンピュータ）を用いて作成等を行い、作成された案内広告のデータを新聞社に送信するようになっていた。
また、インターネットの発達に伴い、ネットワークを介して広告原稿を作成することも行われるようになってきている。
【０００３】
尚、ネットワークを介した広告作成システムの先行技術としては、特開２００３−４４６０６「ＤＴＰサービス提供システム」がある（特許文献１参照）。
この特許文献１は、サーバからクライアントにクライアント用のＤＴＰプログラム及び必要なフォントを配信し、クライアント側にＤＴＰ機能を持たせるというものである。
【０００４】
【特許文献１】特開２００３−４４６０６号公報
【発明の開示】
【発明が解決しようとする課題】
【０００５】
しかしながら、上記従来の技術では、ネットワークに接続するクライアントは、ＤＴＰプログラム及び必要なフォントをダウンロードしてインストールしなければならず、更に、プログラムのバージョンアップがあればクライアント毎に逐次行う必要があって、編集用プログラムのセットアップ、バージョンアップ等に手間が掛かってしまうという問題点があった。
【０００６】
また、専用のフォントをインストールしたとしても、プリンタ機種によって印刷した感じが微妙に異なり、ユーザは実際の広告内容そのものを確認できないという問題点もあった。
【０００７】
本発明は上記実情に鑑みて為されたもので、ＤＴＰ機能はサーバ側で実行することとし、クライアントはウェブ画面で案内広告の作成・編集を可能とし、更に、新聞等に掲載される案内広告の実物を伝票と共に確認して新聞社等に案内広告のデータを容易に送信できる案内広告作成・編集システムを提供することを目的とする。
【課題を解決するための手段】
【０００８】
上記従来例の問題点を解決するための本発明は、ネットワークを介して接続される案内広告作成・編集サーバを有する案内広告作成・編集システムであって、案内広告作成・編集サーバは、広告会社コンピュータから申込伝票が入力され、案内広告の原稿の作成・編集の要求を受けて案内広告の原稿の作成・編集処理を実行し、ゲラ出力の指示があると原稿を掲載用のフォントに置き換え、当該原稿を掲載用のサイズに調整してＰＤＦ形式に変換し、申込伝票の内容と共に広告会社コンピュータに出力し、更に申込伝票と案内広告の原稿を新聞社コンピュータに送信するサーバであることを特徴とする。
【０００９】
本発明は、上記案内広告作成・編集システムにおいて、案内広告作成・編集サーバが、案内広告の原稿の作成・編集処理を実行するのに、広告会社コンピュータのブラウザ画面に入力パレットを表示し、当該入力パレットが、行列のマスを最小単位とし、当該マス内又は複数行列のマス内に設定する文字について、文字の位置、方向、サイズ、フォント、上下揃え、左右揃え、電話番号を設定可能とすることを特徴とする。
【００１０】
本発明は、上記案内広告作成・編集システムにおいて、案内広告作成・編集サーバが、予め登録されたロゴ画像を案内広告の原稿に貼り付け可能としたことを特徴とする。
【発明の効果】
【００１１】
本発明によれば、ネットワークを介して接続される案内広告作成・編集サーバを有する案内広告作成・編集システムであって、案内広告作成・編集サーバは、広告会社コンピュータから申込伝票が入力され、案内広告の原稿の作成・編集の要求を受けて案内広告の原稿の作成・編集処理を実行し、ゲラ出力の指示があると原稿を掲載用のフォントに置き換え、当該原稿を掲載用のサイズに調整してＰＤＦ形式に変換し、申込伝票の内容と共に広告会社コンピュータに出力し、更に申込伝票と広告原稿を新聞社コンピュータに送信する案内広告作成・編集システムとしているので、広告の作成・編集処理は案内広告作成・編集サーバ側で実行することとし、広告会社コンピュータはウェブ画面で案内広告の作成・編集の指示入力を可能とし、更に、新聞に掲載されるフォントに変換された案内広告を伝票と共に確認して新聞社コンピュータに案内広告の原稿を容易に送信できる効果がある。
【００１２】
本発明によれば、案内広告作成・編集サーバが、案内広告の原稿の作成・編集処理を実行するのに、広告会社コンピュータのブラウザ画面に入力パレットを表示し、当該入力パレットが、行列のマスを最小単位とし、当該マス内又は複数行列のマス内に設定する文字について、文字の位置、方向、サイズ、フォント、上下揃え、左右揃え、電話番号を設定可能とする上記案内広告作成・編集システムとしているので、案内広告の文字入力を容易に行うことができる効果がある。
【００１３】
本発明によれば、案内広告作成・編集サーバが、予め登録されたロゴ画像を案内広告の原稿に貼り付け可能とした上記案内広告作成・編集システムとしているので、文字だけでなく、ロゴを用いて視覚的に訴えることができる効果がある。
【発明を実施するための最良の形態】
【００１４】
本発明の実施の形態について図面を参照しながら説明する。
［実施の形態の概要］
本発明の実施の形態は、広告会社ＰＣは案内広告作成・編集サーバにアクセスし、ブラウザを用いて案内広告を作成・編集するものであり、案内広告作成・編集サーバは編集された広告原稿を掲載用のフォント及びサイズに変換してＰＤＦ形式のファイルとし、そのＰＤＦ形式の案内広告を広告会社ＰＣへ画面又は印刷出力するようにしているので、掲載される実物の広告内容を確認して新聞社ＰＣに送信できるものである。
【００１５】
［全体の構成］
本発明の実施の形態に係る案内広告作成・編集システムについて図１を参照しながら説明する。図１は、本発明の実施の形態に係る案内広告作成・編集システムの構成ブロック図である。
本発明の実施の形態に係る案内広告作成・編集システム（本システム）は、図１に示すように、案内広告作成・編集サーバ１と、案内広告ＤＢ２と、広告会社ＤＢ３と、インターネット４と、広告会社ＰＣ５と、新聞社ＰＣ６とから基本的に構成されている。
説明を簡単にするために、インターネット４には一台の広告会社ＰＣ５と一台の新聞社ＰＣ６が接続されているが、複数台のＰＣが接続されるネットワーク環境を前提としている。
【００１６】
［各部の構成］
本システムの各部について説明する。
［案内広告作成・編集サーバ］
案内広告作成・編集サーバ１は、インターネット４に接続するウェブサーバであり、広告会社ＰＣ５からのアクセスにより、案内広告の作成・編集を行うプログラムを動作させ、所望の案内広告を作成・編集して案内広告ＤＢ２に記憶する。
また、案内広告作成・編集サーバ１は、作成した案内広告原稿について広告会社ＰＣ５からの確認要求を受けると、当該原稿を掲載される新聞社のフォントに変換し、ＰＤＦ化して広告会社ＰＣ５に送信する。これにより、広告会社ＰＣ５では、送信されたＰＤＦファイルを印刷すれば、実物の広告案内原稿を確認できる。
更に、広告会社ＰＣ５からの送信指示で伝票と案内広告の原稿を新聞社ＰＣ６に送信する。
【００１７】
案内広告作成・編集サーバ１の具体的な内部構成について、図２を参照しながら説明する。図２は、案内広告作成・編集サーバの構成ブロック図である。
案内広告作成・編集サーバ１は、図２に示すように、制御部１１と、メインメモリ１２と、記憶部１３と、インタフェース１４とから基本的に構成されている。
制御部１１は、記憶部１３に記憶された処理プログラムを読み込み、メインメモリ１２にロードして展開し、処理プログラムを実行可能とする。
インタフェース１４は、ネットワークに接続するインタフェース部と案内広告ＤＢ３及び広告会社ＤＢ３に接続するインタフェース部とを備えている。
【００１８】
［案内広告ＤＢ］
案内広告ＤＢ（データベース）２は、案内広告作成・編集サーバ１で作成・編集された案内広告の原稿を伝票と共に記憶するデータベースである。
また、案内広告ＤＢ２は、伝票の処理状況（ステータス）に関する情報も記憶している。
【００１９】
［広告会社ＤＢ］
広告会社ＤＢ（データベース）３は、案内広告作成・編集サーバ１で作成・編集された案内広告の原稿について、伝票を作成するのに必要な情報を記憶するデータベースである。
広告会社ＤＢ３には、伝票を申し込む広告会社の情報だけでなく、新聞社に関する情報をも記憶している。また、広告会社ＤＢ３は、新聞社の掲載用のフォント、サイズの情報等も記憶している。
【００２０】
［広告会社ＰＣ］
広告会社ＰＣ（パーソナルコンピュータ）５は、インターネット４を介して案内広告作成・編集サーバ１にアクセスし、ブラウザ画面で案内広告作成・編集サーバ１における作成・処理のプログラムを動作させ、所望の案内広告の原稿を作成し、作成・編集された案内広告の原稿と伝票を新聞社ＰＣ６に送信する指示を出力する。
【００２１】
［新聞社ＰＣ］
新聞社ＰＣ（パーソナルコンピュータ）６は、案内広告作成・編集サーバ１からインターネット４を介して送信された案内広告の原稿と伝票を受信し、伝票内容に従い、案内広告原稿の版組を行う。
【００２２】
次に、本システムの動作について説明する。
［申込伝票の作成・編集］
本システムでは、広告会社ＰＣ５がインターネット４を介して案内広告作成・編集サーバ１にアクセスし、予め登録されたＩＤ（識別子）とパスワードを入力してログインすると、ブラウザ画面において、当該広告会社の担当者の「申込伝票一覧」画面が表示される。
その「申込伝票一覧」画面で「検索開始」のボタンを選択すると、これまで作成・編集した案内広告の一覧が表示され、その一覧から編集希望の案内広告を選択することが可能である。
【００２３】
また、「申込伝票一覧」画面で「新規作成」のボタンを選択すると、図３に示す「申込伝票入力」画面が表示される。図３は、「申込伝票入力」画面の表示例を示す図である。
新規作成によって、当該伝票には管理番号、担当入力者名、広告会社コード、広告会社名が自動的に付与され、更に「欄コード」を入力することにより、「大柱名称」「欄名称」が特定されて表示される。「欄コード」は、入力枠の右にあるボタンをクリックすることで、欄コード一覧が表示され、その一覧から欄コードを選択できるようになっている。
【００２４】
次に、「掲載日」の欄で掲載日をクリックすると、当該日付が反転表示され、「掲載開始日」「掲載終了日」の欄に日付が設定される。
更に、広告主の「顧客コード」を入力することにより、「顧客名」、その「電話番号」が特定されて表示される。「顧客コード」は、入力枠の右にあるボタンをクリックすることで、顧客コード一覧（顧客コード、顧客名、電話番号の一覧）が表示され、その一覧から顧客コードを選択できるようになっている。
【００２５】
また、「申込伝票一覧」画面で「新規作成」のボタンを選択せず、伝票一覧から目的の伝票を選択し、「在版流用」のボタンを選択することで、目的の在版を流用して新規の伝票を作成することができる。
申込伝票の訂正・改稿を行う場合は、「申込伝票一覧」画面で、伝票一覧の中から目的の伝票を選択し、「訂正・改稿」のボタンを選択すると、「申込伝票（編集）」画面で、申込伝票の訂正・改稿を実現できる。
【００２６】
［小組原稿編集］
小組の改稿を行う場合は、上記「申込伝票（編集）」画面に設けられている「小組原稿編集」のボタンを選択すると、図４に示す小組編集画面に移行する。図４は、小組編集画面の表示例を示す図である。
図４に示す表示画面では、小組を編集するツールとして、「入力パレット」が表示される。尚、案内広告の新規作成の場合も、同様の「入力パレット」が表示されて文字等の入力ができるようになっている。
【００２７】
「入力パレット」の上部選択ボタンには、「文字」「周パーレンブレス」「周罫」「罫線」「パーレンブレス」が設けられ、下部選択ボタンには、「削除」「リセット」「適用」「レイアウトへ」「保存」「ゲラ出力」「申込入力へ」が設けられている。
【００２８】
「入力パレット」において「文字」ボタンが選択されると、文字の位置、方向、サイズ、フォント、上下揃え、左右揃え、電話番号について設定可能で、「特殊文字」のボタンを選択すると、豊富な特殊文字を選択できるようになっている。
特に、図４に示すように、文字は、行列のマスを最小単位とし、そのマスの中に全角１文字、半角英数字２文字が入力可能で、更に、複数の行及び複数の列にまたがって文字入力が可能となっている。
尚、図４で、「客室」の文字を修正する場合は、表示された小組部分の「客室」部分をクリックして選択すると、その文字が入力パレットの文字入力エリアに表示され、文字の変更ができ、「適用」ボタンを選択すると、その変更された文字が該当部分に設定される。
【００２９】
［ゲラ出力］
入力パレットにおける「ゲラ出力」若しくは、「申込伝票一覧」画面で、伝票一覧の中から目的の伝票を選択し、「ゲラ出力」のボタンを選択すると、図５に示すような申込伝票とＰＤＦゲラがブラウザ画面に表示され、「印刷」のボタンを選択すると、申込伝票とＰＤＦゲラがＰＤＦ形式で広告会社ＰＣ５のプリンタから印刷出力される。図５は、申込伝票とＰＤＦゲラの出力内容を示す図である。
つまり、図５の内容は、ブラウザ画面の表示出力でもあり、プリンタからの印刷出力でもある。
【００３０】
ここで、印刷される小組原稿は、案内広告作成・編集サーバ１で広告が掲載される新聞社用のフォントに変換され、更に印刷されるサイズは、掲載される実物大となるよう調整制御される。よって、掲載される実際の広告と同じフォントで同じサイズの印刷出力を広告会社では確認することができる。
【００３１】
つまり、広告会社ＤＢ３には新聞会社毎に掲載用のフォントが記憶されており、案内広告作成・編集サーバ１は、申込伝票における掲載先の新聞社の情報を参照して広告会社ＤＢ３から対応する掲載用のフォントを読み込み、ＰＤＦゲラにおけるフォントを特定し、入力パレットの文字サイズその他の情報に従い文字サイズ等を特定してサイズの調整を行い、ＰＤＦ形式で変換し、それを広告会社ＰＣ５に表示又は印刷出力するものである。
【００３２】
［伝票送信］
作成・編集した案内広告の原稿及び申込伝票を新聞社ＰＣ６に送信する場合には、「申込伝票一覧」画面で、伝票一覧の中から目的の伝票を選択し、「送信」のボタンを選択すると、選択した申込伝票を送信するか否かの確認画面が表示され、送信「ＯＫ」をクリックすると、新聞会社ＰＣ６に送信され、送信完了すると、「送信完了」が表示され、「申込伝票一覧」画面で、「送信済」が設定されるようになっている。
尚、「申込伝票一覧」画面で、「ログアウト」のボタンを選択すると、本システムの処理を終了するようになっている。
【００３３】
新聞社ＰＣ６では、申込伝票及び案内広告の原稿を受信すると、当該申込伝票の内容に従って案内広告について、ブラウザを使用して小組原稿のデータ（ＰＤＦゲラ）を取り込み、ＤＴＰ編集ソフトウェアを用いて自動割付処理（大組処理）を実行する。
【００３４】
［案内広告作成・編集サーバの処理］
案内広告作成・編集サーバ１における制御部１１の処理について図６を参照しながら説明する。図６は、案内広告作成・編集サーバにおける制御部の処理を示すフローチャートである。
案内広告作成・編集サーバ１における制御部１１は、広告会社ＰＣ５が本システムにログインし、申込伝票の入力が為されたか否か判定し（Ｓ１）、伝票入力が為されたならば（Ｙｅｓの場合）、小組原稿編集処理（Ｓ２）が可能となる。小組原稿編集処理は、上述したように、入力パレットを用いた編集処理となる。
【００３５】
そして、案内広告作成・編集サーバ１における制御部１１は、広告会社ＰＣ５からゲラ出力の指示があったか否かを判定し（Ｓ３）、ゲラ出力の指示があれば（Ｙｅｓの場合）、広告会社ＤＢ３から対応する新聞社の掲載用フォントを読み込み、小組原稿を当該新聞社の掲載用フォントに置き換え、更に対応する新聞社の掲載用の文字サイズの情報を参照して文字サイズを特定してサイズ調整を行い、ＰＤＦ変換し、申込伝票の内容と共にブラウザ画面に表示又はプリンタに印刷出力する（Ｓ４）。
【００３６】
次に、案内広告作成・編集サーバ１における制御部１１は、広告会社ＰＣ５から伝票送信の指示があったか否かを判定し（Ｓ５）、伝票送信の指示があれば（Ｙｅｓの場合）、伝票において特定される新聞社ＰＣ６に伝票及び小組原稿を送信し（Ｓ６）、処理を終了する。
【００３７】
［応用例］
広告会社ＰＣ５は、スキャナーを用いて顧客のロゴ等の画像を読み込み、案内広告作成・編集サーバ１に送信し、広告会社ＤＢ３に登録しておき、案内広告作成の際にそのロゴ画像等を読み出して小組原稿に貼り付けるようにすれば、文字だけでなく、ロゴを用いた宣伝効果が期待できる。
【００３８】
［実施の形態の効果］
本システムによれば、広告会社ＰＣ５は案内広告作成・編集サーバ１にアクセスし、ブラウザを用いて案内広告を作成・編集するものであり、編集された広告原稿を掲載用のフォント及びサイズに変換したＰＤＦ形式で画面又は印刷出力するようにしているので、掲載される実物の広告内容を確認して新聞社ＰＣ６に送信できる効果がある。
【００３９】
また、本システムによれば、広告会社ＰＣ５及び新聞社ＰＣ６は、ＤＴＰ編集ソフトウェアをインストールすることなく、案内広告作成・編集サーバ１のウェブサーバにアクセスすることで、ＤＴＰ編集を行うことが可能となり、ＤＴＰ編集ソフトウェアのアップグレートも案内広告作成・編集サーバ１におけるアップグレートで容易に対応できる効果がある。
【産業上の利用可能性】
【００４０】
本発明は、ＤＴＰ機能はサーバ側で実行することとし、クライアントはウェブ画面で案内広告の作成・編集を可能とし、更に、新聞等に掲載される案内広告の実物を伝票と共に確認して新聞社等に案内広告のデータを容易に送信できる案内広告作成・編集システムに好適である。
【図面の簡単な説明】
【００４１】
【図１】本発明の実施の形態に係る案内広告作成・編集システムの構成ブロック図である。
【図２】案内広告作成・編集サーバの構成ブロック図である。
【図３】「申込伝票入力」画面の表示例を示す図である。
【図４】小組編集画面の表示例を示す図である。
【図５】申込伝票とＰＤＦゲラの出力内容を示す図である。
【図６】案内広告作成・編集サーバにおける制御部の処理を示すフローチャートである。
【符号の説明】
【００４２】
１…案内広告作成・編集サーバ、  ２…案内広告ＤＢ、  ３…広告会社ＤＢ、  ４…インターネット、  ５…広告会社ＰＣ、  ６…新聞社ＰＣ、  １１…制御部、  １２…メインメモリ、  １３…記憶部、  １４…インタフェース
【図１】
2007072775.tif 000003
【図２】
2007072775.tif 000004
【図３】
2007072775.tif 000005
【図４】
2007072775.tif 000006
【図５】
2007072775.tif 000007
【図６】
2007072775.tif 000008